(57)【要約】  電気デバイスのためのユーザーインターフェースの発光素子の照明レベルは、プロセッサによって、ａ）人間の観察者によって知覚される発光素子の所望の時変発光レベルに対応する信号と、ｂ）実際の照明レベルと人間の目によって知覚される結果として生じる照明レベルとの間の非線形感度関係とに基づいて計算されるパルス幅変調（ＰＷＭ）又は他の種類の制御信号を用いて発光素子を駆動するよう制御され、対応する信号は、増加性正弦波ベースのランプ関数及び減少性正弦波ベースのランプ関数を含む。
2021535569.tif 000002
【特許請求の範囲】
【請求項１】
電気デバイス（１０００）のためのユーザーインターフェースの発光素子（１０２８）の照明レベルを制御するための方法であって、
プロセッサ（１０２２）によって、人間の観察者によって知覚される前記発光素子の所望の時変発光レベルに対応する信号を定める情報を記憶することであって、前記対応する信号は、増加性正弦波ベースのランプ関数及び減少性正弦波ベースのランプ関数を含む、該記憶することと、
前記プロセッサによって、前記対応する信号及び実際の照明レベルと、人間の目によって知覚される結果として生じる照明レベルとの間の非線形感度関係に基づいて時変制御信号を計算することと、
前記プロセッサによって、前記発光素子を前記計算された時変制御信号に従って照明することと、
を含むことを特徴とする方法。
【請求項２】
前記対応する信号は、周期的であり、複数の周期から構成されることを特徴とする請求項１に記載の方法。
【請求項３】
前記対応する信号は、
低いレベルの値であって、前記増加性正弦波ベースのランプ関数を高いレベルの値まで増加し、前記減少性正弦波ベースのランプ関数は前記高いレベルの値から前記低いレベルの値へと減少する、該低いレベルの値を含むことを特徴とする請求項１に記載の方法。
【請求項４】
前記非線形感度関係は、輝度と心理指標明度との関係を含むことを特徴とする請求項１に記載の方法。
【請求項５】
前記計算された時変制御信号は、補償関数を使用して前記対応する信号を変換することによって計算され、前記補償関数は、前記実際の照明レベルと前記人間の目によって知覚される前記結果として生じる照明レベルとの間の前記非線形感度関係に基づいており、
【数１】
2021535569.tif 000012
式中、
Ｙは、前記計算された時変制御信号であり、
Ｌ＊は、前記対応する信号であることを含むことを特徴とする請求項１に記載の方法。
【請求項６】
前記増加性及び減少性ランプ関数は、時間ｔにおいて、
【数２】
2021535569.tif 000013
に比例して変化することを特徴とする請求項１に記載の方法。
【請求項７】
前記発光素子（１０２８）は、発光ダイオード又は発光面のうちの１つを含むことを特徴とする請求項１に記載の方法。
【請求項８】
前記記憶された情報は、前記対応する信号を計算するための式を含むことを特徴とする請求項１に記載の方法。
【請求項９】
前記記憶された情報は、前記対応する信号を表す時間順の複数の離散サンプリング値を含むことを特徴とする請求項１に記載の方法。
【請求項１０】
電気デバイス用のユーザーインターフェースの発光素子（１０２８）の照明レベルを制御するためのシステムであって、
プロセッサ（１０２２）と、
前記プロセッサと通信するメモリであって、前記プロセッサによって実行されると、前記システムに、
人間の観察者によって知覚される前記発光素子の所望の時変発光レベルに対応する信号を定める情報を記憶することであって、前記対応する信号は、増加性正弦波ベースのランプ関数及び減少性正弦波ベースのランプ関数を含む、該記憶することと、
前記対応する信号、及び実際の照明レベルと、人間の目によって知覚される結果として生じる照明レベルとの間の非線形感度関係に基づいて時変制御信号を計算することと、
前記計算された時変制御信号に従って、前記発光素子を照明させることと、
を生じさせる命令を記憶する、該メモリと
を含むことを特徴とするシステム。
【請求項１１】
前記対応する信号は、周期的であり、複数の周期から構成されることを特徴とする請求項１０に記載のシステム。
【請求項１２】
前記対応する信号は、
低いレベルの値であって、前記増加性正弦波ベースのランプ関数を高いレベルの値まで増加し、前記減少性正弦波ベースのランプ関数は高いレベルの値から前記低いレベルの値へと減少する、該低いレベルの値を含むことを特徴とする請求項１０に記載のシステム。
【請求項１３】
前記非線形感度関係は、輝度と心理指標明度との関係を含むことを特徴とする請求項１０に記載のシステム。
【請求項１４】
前記計算された時変制御信号は、補償関数を使用して前記対応する信号を変換することによって計算され、前記補償関数は、前記実際の照明レベルと前記人間の目によって知覚される前記結果として生じる照明レベルとの間の前記非線形感度関係に基づいており、
【数３】
2021535569.tif 000014
式中、
Ｙは、前記計算された時変制御信号であり、
Ｌ＊は、前記対応する信号であることを含むことを特徴とする請求項１０に記載のシステム。
【請求項１５】
前記増加性及び減少性ランプ関数は、時間ｔにおいて
【数４】
2021535569.tif 000015
に比例して変化することを特徴とする請求項１０に記載のシステム。
【発明の詳細な説明】
【技術分野】
【０００１】
本開示は、概して、電気デバイスユーザーインターフェースに関し、より具体的には、発光ダイオード（ＬＥＤ）などの発光素子を含むこのようなユーザーインターフェースに関する。
【背景技術】
【０００２】
電気デバイスのユーザーインターフェースの発光素子を使用して、デバイスの動作状態に関する１つ以上の側面を消費者に伝えることができる。換言すれば、発光素子の照明レベルは、電気デバイスの動作状態を示す。ＬＥＤの場合、ＬＥＤの照明レベルを調整するための１つの典型的な方法は、ＬＥＤをオン若しくはオフに切り替えるか、又はＬＥＤを明滅させることである。一部の消費者にとって、発光素子の照明レベルのかような急激な変化が不快な場合がある。
【発明の概要】
【課題を解決するための手段】
【０００３】
本発明の一態様は、電気デバイス用のユーザーインターフェースの発光素子の照明レベルを制御するためのシステムであって、プロセッサと、プロセッサと通信するメモリであって、プロセッサによって実行されると、システムに、人間の観察者によって知覚される発光素子の所望の時変発光レベルに対応する信号を定める情報を記憶することであって、対応する信号は、増加性正弦波ベースのランプ関数及び減少性正弦波ベースのランプ関数を含む、記憶することを生じさせる命令を記憶する、メモリとを含むシステムに関する。保存された命令は、プロセッサにより同様に実行されると、システムに、対応する信号に基づいた時変制御信号、及び実際の照明レベルと人間の目によって知覚される結果として生じる照明レベルとの間の非線形感度関係を計算させ、計算された時変制御信号に従って照明される発光素子を生じさせる。
【０００４】
本開示の別の態様は、電気デバイスのためのユーザーインターフェースの発光素子の照明レベルを制御するための方法に関する。本方法は、プロセッサによって、人間の観察者によって知覚される発光素子の所望の時変発光レベルに対応する信号を定める情報を記憶することであって、対応する信号は、増加性正弦波ベースのランプ関数及び減少性正弦波ベースのランプ関数を含む、記憶することを含む。方法はまた、プロセッサによって、対応する信号に基づいた時変制御信号、及び実際の照明レベルと人間の目によって知覚される結果として生じる照明レベルとの間の非線形感度関係を計算し、計算された時変制御信号に従って発光素子をプロセッサによって照明させること、を含む。
【０００５】
本開示の更なる態様は、電気デバイスのためのユーザーインターフェースの発光素子の照明レベルを制御するための方法に関する。方法は、プロセッサによって、人間の観察者によって知覚される発光素子の所望の時変発光レベルに対応する信号を定める記憶された情報と、実際の照明レベルと人間の目によって知覚される結果として生じる照明レベルとの間の非線形感度関係に基づいて計算されるパルス幅変調（ＰＷＭ）制御信号を記憶することを含み、対応する信号は、増加性正弦波ベースのランプ関数及び減少性正弦波ベースのランプ関数を含む。方法はまた、プロセッサによって、記憶された制御信号に従って発光素子を駆動することを含む。
【図面の簡単な説明】
【０００６】
したがって、本開示の上記の特徴を詳細に理解することができる方法は、上に簡潔に概説された、本開示の実施形態のより具体的な説明を、添付の図面に示される実施形態を参照することによって、有することができる。しかしながら、添付の図面は、本開示の範囲内に包含される典型的な実施形態のみを示しており、したがって、本開示が他の同等に有効な実施形態に対して認めることができるということから、限定するものと考えられるべきではないということに留意すべきである。
【図１】本開示の原理による、発光素子のための３つの例示的なパルス幅変調（ＰＷＭ）制御信号を示す。
【図２Ａ】本開示の原理による、線形に増加するデューティサイクルのＰＷＭ信号を示す。
【図２Ｂ】図２ＡのＰＷＭ信号で制御された発光素子の明るさが、本開示の原理に従ってどのように知覚されるかを示す。
【図３】本開示の原理による、輝度と心理指標明度との間の非線形関係を示す。
【図４Ａ】本開示の原理による、線形の増加性ランプ関数及び図３の非線形関係に基づく計算されたＰＷＭ信号を示す。
【図４Ｂ】本開示の原理による、それぞれ線形の増加性及び減少性のランプ関数を示す。
【図４Ｃ】本開示の原理による、それぞれ線形の増加性及び減少性のランプ関数を示す。
【図５】本開示の原理による、ブリーズの発光ユーザーインターフェース素子の主観的明るさ知覚のグラフを示す。
【図６Ａ】本開示の原理による、正弦波ベースの増加性及び減少性ランプ関数をそれぞれ示す。
【図６Ｂ】本開示の原理による、正弦波ベースの増加性及び減少性ランプ関数をそれぞれ示す。
【図７Ａ】本開示の原理による、図６Ａ及び図６Ｂのグラフの拡大縮小版をそれぞれ示す。
【図７Ｂ】本開示の原理による、図６Ａ及び図６Ｂのグラフの拡大縮小版をそれぞれ示す。
【図８Ａ】本開示の原理による、図７Ａの正弦波ベースの増加性ランプ関数及び図３の非線形関係に基づく計算されたＰＷＭデューティサイクル信号を示す。
【図８Ｂ】本開示の原理による、図７Ｂの正弦波ベースの増加性ランプ関数及び図３の非線形関係に基づく計算されたＰＷＭデューティサイクル信号を示す。
【図９】本開示の原理による図５のグラフの変形例を示す。
【図１０Ａ】本発明の原理による、発光ユーザーインターフェース素子を組み込んだ電気デバイスを示す。
【図１０Ｂ】本発明の原理による、発光ユーザーインターフェース素子を組み込んだ電気デバイスを示す。
【図１１Ａ】本発明の原理による、発光ユーザーインターフェース素子を組み込んだ電気デバイスを示す。
【図１１Ｂ】本発明の原理による、発光ユーザーインターフェース素子を組み込んだ電気デバイスを示す。
【図１２】本発明の原理による、発光ユーザーインターフェース素子を組み込んだ電気デバイスを示す。
【図１３】本発明の原理による、発光ユーザーインターフェース素子を組み込んだ電気デバイスを示す。
【発明を実施するための形態】
【０００７】
電気デバイスのユーザーインターフェースの発光素子に関して上述したように、ＬＥＤのスイッチのオンオフを切り替えて、明滅させることは、一部の消費者にとって不快であり得る。ＬＥＤの照明レベルのより緩やかな変化は、一部の消費者にとってより好ましいと考えられる。本開示の原理による実施形態は、人間の目によって実質的に正弦波であると知覚される方式で、ＬＥＤの照明レベルを変調することを企図している。以下により詳細に記載されるように、実施形態は、高調波の自然の正弦関数と人間の目の補償の式との組み合わせを使用することを含み得る。
【０００８】
１つ以上の例示的な電気デバイスについて以下に説明するが、これらは本開示の原理の理解を補助するためにのみ、例として提供されており、添付の特許請求の範囲の解釈又は範囲を限定することを意図するものではない。本開示の原理による実施形態は、例えば、ＬＥＤ、有機ＬＥＤ（ＯＬＥＤ）、及び発光面などの多種多様な発光素子を含む。発光素子の照明レベルを調節することは、素子をオンにすること、照明レベルを上昇させること、照明レベルを維持すること、照明レベルを低下させること、及び素子をオフにすることを含むことができる。以下でより詳細に説明するように、発光素子の照明レベルは、ＰＷＭ信号を使用して制御することができる。しかしながら、当業者は、様々な電圧（別個又はアナログ）の信号を使用して、発光素子の照明レベルも変動させることができることを容易に認識するであろう。更に、電気デバイスのユーザーインターフェースは、２つ以上の発光素子を含むことができ、各々は、電気デバイスの異なる動作特性のそれぞれの状態について情報を伝達する。
【０００９】
上述のように、ＬＥＤの照明レベルを制御するために、ＬＥＤは、例えばマイクロコントローラ又は同様のデバイスによって生成されたものなどのパルス幅変調（ＰＷＭ）信号によって駆動され得る。図１は、３つの異なるＰＷＭ信号１０２、１０４、１０６を示す。各信号は周期的で、Ｔの周期１０８を有する。各周期において、部分１１０、ｔＨが存在し、信号が電圧レベル１２０のＶＣＣであり、また部分１１２、ｔＬが存在し、信号が約０ボルトの電圧レベル１１８を有する。電圧レベルＶＣＣは、ＬＥＤの順電圧を上回るのに十分であるが、ＬＥＤへの損傷を防止するためにＬＥＤを通る電流を制限するのに十分低い。ｔＨ／Ｔの商は、ＰＷＭ信号のデューティサイクルを定める。ＰＷＭのデューティサイクル「ｋ」は、ＬＥＤの照明レベルに線形に対応し、０〜１の割合として、又は０％〜１００％の等価の割合として表すことができる。したがって、信号１０２は、１０％に等しい「ｋ」１２２を有し、信号１０２によって駆動されるＬＥＤの照明レベルは、ＬＥＤがＶＣＣの連続信号又はＤＣ信号によって駆動された場合、照明レベルの１０％となる。信号１０４は、５０％のデューティサイクルｋ１２４を有し、信号１０６は、９０％のデューティサイクルｋ１２６を有する。
【００１０】
通常、ＬＥＤを駆動するために使用されるＰＷＭ信号の場合、スイッチング周波数は、非常に高い（すなわち、期間Ｔが短い）ため、人間の目が照明レベルの個々の振動を知覚しない。ＬＥＤは、所望の照明レベルで継続的に光っていることが知覚される。人間の目によって見ることができるＬＥＤの振動の最小速度は、人から人により異なる。しかしながら、５０Ｈｚ又は５０回／秒の最小スイッチング周波数が典型的であり得る。
【００１１】
図２Ａは、ＰＷＭ信号のデューティサイクルが経時的にいかに変動するかの線形のグラフ２０２を示す。具体的には、描写されたデューティサイクルは、０〜１又は０％〜１００％の線形の様式で増加する。上記の考察に基づくと、ＰＷＭ信号によって駆動されるＬＥＤの照明レベルもまた、線２０２と同じ勾配で、線形に増加するはずである。しかしながら、図２Ｂは、人間の目が、図２Ａの変化するデューティサイクルを有するＰＷＭ信号によって駆動されるＬＥＤの増加する照明レベルを、どのように知覚するかを示す。曲線２０４は、人間の目の主観的な明るさ知覚を示し、この曲線２０４は、線２０２と一致していない。したがって、線形に変動するＰＷＭ信号の様々なユーザーインターフェースは、線形に変動する方式で意図されるように人間の目によって知覚されないが、代わりに、人間の目は、非線形様式で変動するものとしてＬＥＤの照明レベルの増加を観察する。
【００１２】
対象物の輝度は、その絶対的な強度である。明るさは、周囲環境の輝度に応じた、対象物の知覚された輝度である。輝度と明るさは、人間の照明レベルの知覚が、絶対的な輝度ではなく、輝度のコントラストに影響されやすいため、異なる場合がある。したがって、明るさは、光源が光を放射又は反射するように見える視覚的な知覚の属性である。明るさは、視覚的標的の輝度によって誘発される知覚であり、以下の説明において心理指標明度と呼ばれることがある。本発明の原理による実施形態は、心理指標明度に輝度を関連付けている、ＣＩＥ（Ｉｎｔｅｒｎａｔｉｏｎａｌ  Ｃｏｍｍｉｓｓｉｏｎ  ｏｎ  Ｉｌｌｕｍｉｎａｔｉｏｎ）による研究に基づく補償関数に依拠することによって、人間の目の主観的知覚を考慮している。補償関数は、例えばＬＥＤのような発光素子の制御された照明レベルを、人間の目の非線形感度に適合させるために、使用される。ＣＩＥの研究は、０〜１で変動する輝度の値であるＹを、０〜１００で変動して図３のグラフ３０２によって示されている心理指標明度の値であるＬ＊に関連付けている。図３のグラフは、以下の式に従って計算される。
【００１３】
【数１】
2021535569.tif 000003
【００１４】
上記の式及び以下の式では、Ｙは、特定の発光素子について０〜１で変動し、「１」の値は、例えば、１００％のデューティサイクルのＰＷＭ制御信号によって駆動されるその特定の発光素子の照明レベルに対応する。本開示の原理によれば、補償関数は、Ｌ＊値をＹ値に変形又は変換する上記の式の逆数として定められ、以下のように定められる。
【００１５】
【数２】
2021535569.tif 000004
【００１６】
操作の中で、ＬＥＤの照明レベルが所望の方法で人間の目によって知覚されるように、Ｌ＊値を定めることができる。これらのＬ＊値に基づいて、ＬＥＤの照明レベルを制御するためのＰＷＭ又は他の種類の信号を求めることができる。図４Ａ及び図４Ｂは、そのような一例を示す。この例では、Ｌ＊＝１００の値は、１００％のデューティサイクルにも対応する「１」に等しいＹ値に相当する。また、Ｌ＊＝０の値は、０％のデューティサイクルにも対応する０に等しいＹ値に相当する。図４Ｂでは、人間の目の心理指標明度又は主観的な明るさ知覚、Ｌ＊は、経時的に線形に増加するようにグラフ４０４によって定められている。上記の補償関数を使用して、ＬＥＤの照明レベルを制御するＰＷＭ又は他の種類の信号の変動するデューティサイクルを計算することができる。所与の値Ｌ＊（ｔ）について、０〜１の値を包括的に有する、対応する値Ｙ（ｔ）を計算することができる。０〜１の間で変動するＹ（ｔ）の値は、同様に０〜１（すなわち、０％〜１００％）で変動するＰＷＭデューティサイクルｋ（ｔ）と同等である。図４Ａでは、グラフ４０２は、図４Ｂのグラフ４０４に適用されている補償関数に対応し（すなわち、図４Ｂのグラフ４０４のシコメトリックな明度の値Ｌ＊が、上記の補償関数を使用して輝度の値Ｙに変換される）、したがって、例えばＰＷＭ信号のデューティサイクルが、いかにして図４Ｂに示される明るさの知覚される線形変化を達成するように制御され得るかを示す。また、図４Ｃは、明るさの知覚の線形変化を示すが、図４Ｃでは、Ｌ＊値は、時間が経過するにつれて１００から０に減少する。
【００１７】
「ブリーズする」照明ユーザーインターフェースは、照明レベルの増加と照明レベルの減少との間で周期的に交互に切り替わるものである。したがって、発光素子の知覚される明るさはまた、照明レベルの増加と減少との間で周期的に交互に切り替わる。一例を図５に示す。グラフ５０２は、知覚される明るさが経時的にどのように変動するかを示す。したがって、グラフ５０２は、人間の観察者によって知覚される発光素子の所望の時変発光レベルに対応する信号を定める。グラフ５０２はまた、グラフ５０２の異なる部分間に鋭い移行点５０４が存在するかを示す。信号又はグラフ５０２は、高レベル領域５１０及び低レベル領域５１２の存在により、非連続的であるランプ関数５０６（図４Ｂに示すように）及び減少性ランプ関数５０８（図４Ｃに示すように）として特徴付けることができる。上述の補償関数を使用して、例えばＰＷＭ信号のデューティサイクルを計算して、ＬＥＤの照明レベルを制御して、図５に示す所望の知覚される明るさを達成することができる。本開示の原理によれば、信号又はグラフ５０２の１つの更なる改良は、移行点５０４を滑らかにすることができる。
【００１８】
図４Ｂの線形ランプに従って、０から１００まで変動するＬ＊の代わりに、正弦波ベースのランプ関数を、例えば、以下のように定めることができる。
【００１９】
【数３】
2021535569.tif 000005
【００２０】
上記の式では、ｆ（ｔ）は、図６Ａに示すように、ｔ／ｔ０が０から１に増加するにつれて、０から１まで変動する。同様に、上記の式では、ｆ（ｔ）は、図６Ｂに示すように、ｔ／ｔ０が１から０に減少するにつれて、１から０に変動する。この正弦波ベースのランプ関数を使用して、０から１００で変動するＬ＊の増加性正弦波ベースのランプ関数、及び１００から０まで変動する減少性正弦波ベースのランプ関数を導出することができる。Ｌ＊の値が０から１００に増加する時間の範囲に対して期間ｔ０が選択されると仮定すると、図７Ａの増加性正弦波ベースのランプ関数は、０≦ｔ／ｔ０≦１についてＬ＊（ｔ）＝［１００＊ｆ（ｔ）］に従って計算することができる。また、図７Ｂの減少性正弦波ベースのランプ関数は、１≧ｔ／ｔ０≧０に対してＬ＊（ｔ）＝［１００＊ｆ（ｔ）］に従って計算することができる。図７Ａ及び図７Ｂのグラフ又は信号は、どのようにして、人間の観察者によって知覚される発光素子の時変発光レベルについて設計者が計画するかに対応する。換言すれば、図７Ａ及び図７Ｂのグラフにおける情報は、人間の観察者によって知覚される発光素子の所望の時変発光レベルに対応するそれぞれの信号を定める。しかしながら、発光素子の実際の輝度、又は照明レベルを制御するのに使われる制御信号は、図３に示されるように、実際の照明レベルと、人間の目によって知覚される結果として生じる照明レベルとの間の上述した非線形感度関係のために、図７Ａ及び図７Ｂの信号と異なる。
【００２１】
図４Ｂ及び図４Ｃの線形ランプに関して上述したように、補償関数を使用して適切なＰＷＭ信号、又は他の種類の制御信号を計算し、ＬＥＤの照明レベルを制御して、消費者によるＬＥＤの明るさの所望の知覚を達成することができる。また上述したように、補償関数を使用して、人間の目によって知覚されるように、所望の変動する照明レベルに対応する信号の値を変換することができる。この変換から得られる信号又はグラフは、発光素子の照明レベルが実際に制御されるかの輝度の値Ｙに対応する。輝度の値Ｙの結果として生じる信号又はグラフに基づいて、プロセッサ又はマイクロコントローラは、例えば、発光素子の適切な実際の照明レベルを達成するために変動するデューティサイクルのＰＷＭ制御信号を生成することができる。図８Ａ及び８Ｂは、それぞれ図７Ａ及び７Ｂの正弦波ベースのランプ関数を達成することに対応するデューティサイクルの値を示す。所与の値Ｌ＊（ｔ）について、図７Ａ又は図７Ｂでは、対応する値Ｙ（ｔ）は、上記の補償関数を使用して計算することができ、それにより、対応する値Ｙ（ｔ）は、０〜１の値を有する。したがって、０と１との間で変動するＹ（ｔ）値は、同様に０〜１（すなわち、０％〜１００％）でも変動するＰＷＭデューティサイクルｋ（ｔ）と同等である。
【００２２】
図９は、図５のグラフにおける、線形ランプ関数の代わりに増加性及び減少性の正弦波ベースのランプ関数を使用する結果を示す。図示のように、移行点９０４は、図５からの鋭い移行点５０４よりも滑らかである。上述した補償関数を正弦波ベースのランプ関数と組み合わせることにより、ＰＷＭ信号、又は他の制御信号のための適切なデューティサイクルを計算することができ、これにより、所望の様式で知覚されるＬＥＤの明るさを達成する。ＬＥＤの照明レベルＹは、依然以下に従って計算される。
【００２３】
【数４】
2021535569.tif 000006
【００２４】
しかしながら、上記の式では、グラフ又は信号９０２の増加性又は減少性のランプ部分のＬ＊（ｔ）の値は、図７Ａ及び図７Ｂで上述した正弦波ベースのランプ関数の値であり、式中、
【００２５】
【数５】
2021535569.tif 000007
である。
【００２６】
図９のグラフ９０２では、対応するＰＷＭ信号のデューティサイクルが、ＬＥＤがオフであると知覚されるように、約「ゼロ」に等しい期間に対応する期間ｔ１が存在する。期間ｔ１中においてＬ＊（ｔ）＝０である。例として、期間ｔ１は、０秒〜数百ミリ秒で変動し得る。また、対応するＰＷＭ信号が約１００％に等しい期間に対応する期間ｔ２も存在し、これにより、ＬＥＤは完全に照明されると知覚される。期間ｔ２中において、Ｌ＊（ｔ）＝１００である。例として、時間期間ｔ２は、０秒〜数百ミリ秒で変動し得る。更に、ｔ１及びｔ２の値は異なっていてもよく、同じであってもよい。グラフ９０２において、対応するＰＷＭ信号がオフの状態から完全照明状態に移行する期間に対応する期間ｔ０もある。グラフ９０２では、対応するＰＷＭ信号が完全照明状態からオフの状態に移行する期間に対応する期間ｔ３もある。期間ｔ０及びｔ３は、互いに等しくてもよく、又は異なっていてもよい。ｔ１及びｔ２の値はまた、例えば、ｔ１（又はｔ２）が（０．８＊ｔ０）であるような相対的な期間として構成することもできる。
【００２７】
いくつかの例として、図１２にてわかるように、信号９０２は、２００ｍｓに等しいｔ０、０ｍｓに等しいｔ１、１０００ｍｓに等しいｔ２、１５００ｍｓに等しいｔ３を有することができる。別の例の波形９０２として、図１２にてわかるように、ｔ０及びｔ３は１５００ｍｓに等しく、ｔ２は４０ｍｓに等しく、ｔ１は４０００ｍｓに等しくなり得る。別の例では、図１１Ａにてわかるように、波形９０２は、０ｍｓに等しいｔ１及びｔ２を有することができ、ｔ０及びｔ３は４００ｍｓに等しくなり得る。更に、図１１Ｂにてわかるように、更なる例の波形９０２では、ｔ０及びｔ３は３００ｍｓに等しくなり得、例えば、ｔ１は９０ｍｓに等しくなり得、ｔ２は７００ｍｓに等しくなり得る。図１３にてわかるように、増加性正弦波ベースのランプではない例の波形９０２では、ｔ２は比較的長い期間であり得、一方でｔ３は３００ｍｓに等しくてもよい。
【００２８】
本開示の原理に従って動作するデバイスは、プロセッサと、プロセッサによって実行可能な命令を記憶する、プロセッサと通信するメモリとを含むことができる。更に、プロセッサによって実行されるとき、これらの命令は、デバイスに、人間の観察者によって知覚される発光素子の所望の時変発光レベルに対応する信号を定める情報を記憶させ、対応する信号は、増加性正弦波ベースのランプ関数及び減少性正弦波ベースのランプ関数を含む。これらの命令はまた、実行されると、デバイスに、対応する信号に基づいた時変制御信号、及び実際の照明レベルと人間の目によって知覚される結果として生じる照明レベルとの間の非線形感度関係を計算させ、計算された時変制御信号に従って照明される発光素子を駆動させる。あるいは、時変制御信号は、デバイスとは別個の１つ以上のシステムによって計算することができる。この時変制御信号は、一旦計算されると、デバイスのメモリに記憶され得る。例として、時変制御信号は、計算された時変制御信号の時間順の離散サンプリング値を含むルックアップテーブルとして記憶され得る。装置のプロセッサは、ルックアップテーブルから値を読み出し、次いで、時変制御信号に従って、デバイスの発光素子の照明レベルを駆動することができる。
【００２９】
図１０Ａは、本開示の原理に従って動作する１つ以上の発光素子を含むことができる例示的な電気デバイスを示す。図１０Ａの例示的なかみそり１０００は、発光加熱インジケータ１００１及び発光電力インジケータ１００２を含むことができる。動作中、２つのインジケータ１００１、１００２は、個別に又は互いと同期して動作することができ、色及び照明レベルが変動して、かみそり１０００の動作状態をユーザーに伝えることができる。
【００３０】
図１０Ｂは、本開示の原理による、ユーザーインターフェースの発光素子を制御することができる、かみそり１０００又は他のデバイスの機能的要素のブロックレベル図である。明快さ及び簡潔さのために、発光素子に関係しないかみそり１０００の他の機能的要素は、図１０Ｂから省かれている。
【００３１】
かみそり１０００は、データストア１０２６からデータを取得し、データストア１０２６にてデータを記憶し、データストア１０２６から実行可能命令を取り出すことができるマイクロコントローラ１０２０又は同様のハードウェアを含むことができる。マイクロコントローラ１０２０はまた、実行可能命令を実行するか、又は実行可能な動作を開始することができる、プロセッサ１０２２又は類似の回路を含む。特に、プロセッサ１０２２は、ＰＷＭ駆動回路１０２４と通信して、ＰＷＭ制御信号１０２７を生成することができる。ＰＷＭ制御信号１０２７は、発光素子１０２８の照明レベルがＰＷＭ制御信号に従って変動するように、発光素子１０２８を駆動する。
【００３２】
プロセッサ１０２２が開始できる実行可能な動作のうちの１つは、人間の観察者によって知覚される発光素子の所望の時変発光レベルに対応する信号を定める情報を記憶することである。上述したように、図５又は図９の信号又はグラフは、デバイス１０００の設計者が達成することを望む、発光素子１０２８の所望の知覚される照明の挙動に対応する。図５又は図９の信号は、実際のＰＷＭ信号、又は発光素子１０２８を駆動するために使用される他の種類の制御信号を定めるのでなく、むしろ、適切なＰＷＭ制御信号又は他の種類の制御信号で駆動されるときに、人間の目がどのように発光素子１０２８の照明を知覚するかを表す。人間の観察者によって知覚される発光素子の所望の時変発光レベルに対応する信号を定める記憶された情報は、様々な方法で構成することができる。例えば、情報は、例えば図５又は図９のグラフを説明する数学的な関数とすることができ、データストア１０２６に記憶され、データストアから取得されてもよい。この場合、プロセッサ１０２２又は同様の要素は、数学的な関数を使用して、対応する信号の値を計算することができる。あるいは、記憶された情報は、例えば図５又は図９のグラフを表す瞬時の値に対応する複数の離散したサンプルであってもよく、プロセッサ１０２２によってデータストア１０２６に記憶され、データストア１０２６から取り出されてもよい。記憶された情報は、周期的信号の単一周期を表すことができ、サンプリングされた値は、プロセッサ１０２２が、記憶された情報の個々の値を順次取得して、対応する信号の値を判定することができるように、時間順であってもよい。サンプリングされた値は、グラフ又は信号（例えば、図９のもの）の一般的な輪郭を表すことができるが、必要に応じてプロセッサ１０２２によって増減させることができる。上記の特定の実施形態では、対応する信号は、増加性正弦波ベースのランプ関数及び減少性正弦波ベースのランプ関数を含む。
【００３３】
プロセッサが開始することができる別の実行可能な動作は、ａ）記憶された情報によって定められる対応する信号と、ｂ）実際の照明レベルと、人間の目によって知覚される結果として生じる照明レベルとの間の非線形感度関係に基づいて、時変制御信号を計算することである。図３は、このタイプの非線形感度関係の一例を示す。水平軸は、発光素子の実際の又は物理的照明レベルを表し、垂直軸は、人間の目が異なる照明レベルをどのように知覚するかを表す。上記の例では、補償関数は、図３に示す関係から導出され、制御信号を算出するために使用される。記憶された情報によって定められる対応する信号は時変であるため（例は図５又は図９のグラフによって示される）、信号は、Ｌ＊（ｔ）とラベル付けすることができる複数の個々の値を有し、この場合「ｔ」は離散した時間の値を表す。補償関数を使用して、Ｌ＊（ｔ）の値に対応する輝度の値Ｙ（ｔ）を計算することができる。次いで、これらの輝度の値Ｙ（ｔ）を、時変電圧制御信号のＰＷＭ制御信号又は対応する電圧値ｖ（ｔ）の対応するデューティサイクルの値ｋ（ｔ）に変換することができる。順序付けられた一連の値ｋ（ｔ）又はｖ（ｔ）は、発光素子１０２８を駆動するために使用することができる、時間と共に変動する計算された制御信号を定める。
【００３４】
したがって、プロセッサ１０２２が開始できる別の実行可能な動作のうちの１つは、計算された時変制御信号に従って発光素子を照明させることを含み、それにより、人間の観察者は、対応する信号に概ね対応する発光素子１０２８の照明レベルを知覚する。プロセッサ１０２２は、発光素子１０２８を直接駆動するように構成されてもよく、あるいは、適切な電圧レベル及びタイミング特性を有するＰＷＭ信号を生成するために、別個のＰＷＭ駆動回路１０２４を制御するか、又はそれと通信するように構成され得る。プロセッサ１０２２はまた、適切な電圧レベル及びタイミング特性を有する制御信号（例えば、上述の変動する電圧信号ｖ（ｔ））を生成するために、他の駆動回路（図示せず）を制御するか、又はそれと通信するように構成されてもよい。
【００３５】
図１１Ａは、異なる発光素子１００１及び１００２がどのように動作し得るかの例を示す。水平タイムライン１１０４は、人間の観察者によって知覚される加熱インジケータ１００１の所望の時変発光レベルに対応する信号を定める情報の例示的なグラフを提示し、水平タイムライン１１０６は、人間の観察者によって知覚される電力インジケータ１００２の所望の時変発光レベルに対応する信号を定める情報の例示的なグラフを提示する。一旦かみそり１０００がスイッチオンされると（１１０８）、加熱期間１１１０は開始することができ、例えば、約２秒続けることができる。このとき、電力インジケータ１００２は完全に照明され、加熱インジケータ１００１は、例えば約０．５秒の速度でブリーズする。かみそり１０００が使用準備態勢（１１１２）状態に達すると、また使用中（１１１４）、両方の発光インジケータ１００１及び１００２は、連続的に照明されたままであり得る。かみそり１０００がオフにされると、両方の発光インジケータ１００１及び１００２をオフにすることができる。図１１Ａでは、かみそり１０００が接続され得る充電スタンド１１０２が示されている。
【００３６】
図１１Ｂは、かみそり１０００の異なる動作状態を示すように発光インジケータ１００１及び１００２をどのように制御することができるかを示す。水平タイムライン１１５０は、人間の観察者によって知覚される加熱インジケータ１００１の所望の時変発光レベルに対応する信号を定める情報の例示的なグラフを提示し、水平タイムライン１１５２は、人間の観察者によって知覚される電力インジケータ１００２の所望の時変発光レベルに対応する信号を定める情報の例示的なグラフを提示する。電池の充電状態が低い状態（１１４８）の間、加熱インジケータ１００１は完全に照明され、電力インジケータ１００１は、例えば約１．０秒の速度で明滅する。
【００３７】
図１２は、かみそり１０００が充電スタンド１１０２と接続されている間に、発光素子１００１及び１００２がどのように動作し得るかの例を示す。具体的には、充電スタンド１１０２は、充電インジケータであり得るそれ自体の発光素子１２０２を含むことができる。水平タイムライン１２０４は、人間の観察者によって知覚される加熱インジケータ１００１の所望の時変発光レベルに対応する信号を定める情報の例示的なグラフを提示し、水平タイムライン１２０６は、人間の観察者によって知覚される電力インジケータ１００２の所望の時変発光レベルに対応する信号を定める情報の例示的なグラフを提示する。水平タイムライン１２０８は、人間の観察者によって知覚される充電インジケータ１２０２の所望の時変発光レベルに対応する信号を定める情報の例示的なグラフを提示する。
【００３８】
図１２の例では、加熱インジケータ１００１が、示される全期間中、例えば、かみそり１０００が充電器に配置されている（１２１０）とき、かみそり１０００を充電している（１２１２）間、及びかみそりが完全に充電されている（１２１４）ときに照明されないままであり得る。本開示の原理によれば、電力インジケータ１００２及び充電インジケータ１２０２の両方を、発光ブリーズユーザーインターフェースとして動作させる、ＰＷＭ又は他の種類の制御信号を計算することができる。このＰＷＭ信号は、例えば、図９及び水平タイムライン１２０６及び１２０８に示されるように変動すると知覚されるように、要素１００２及び１２０２の両方の照明レベルを変動させることができる。図１２の例では、ブリーズ速度は約３秒である。図１２はまた、かみそり１０００が充電スタンド１１０２に配置されると、電力インジケータ１００２のＰＷＭ制御信号を生成するプロセッサ又はコントローラに同期パルスを送信することができ、また、充電インジケータ１２０２のＰＷＭ制御信号を生成するプロセッサ又はコントローラに送信され得ることも示す。
【００３９】
図１３は、同じ発光素子が異なる時に異なる色であってもよいことを示す。図１３では、水平タイムライン１３０２は、人間の観察者によって知覚される加熱インジケータ１００１の所望の時変発光レベルに対応する信号を定める情報の例示的なグラフを提示し、水平タイムライン１３０４は、人間の観察者によって知覚される電力インジケータ１００２の所望の時変発光レベルに対応する信号を定める情報の例示的なグラフを提示する。使用者がボタン１００３を押下して第１の加熱モードに入る（１３１０）時間の間、両方の発光インジケータ１００１及び１００２は、完全に照明され、色は赤色であってもよい。第１の加熱モード（１３１２）中、両方のインジケータ１００１及び１００２は、完全に照明されたままであるが、黄色であってもよい。使用者がボタンを再び押下する（１３１４）とき、第２の加熱モードに入るまでの間、両方のインジケータ１００１及び１００２は、完全に照明されたままであり、黄色であってもよい。しかしながら、第２の加熱モードに達すると（１３１６）、照明された発光素子１００１及び１００２の色は赤色に変化してもよい。
【００４０】
図のフローチャート及びブロック図は、本開示の様々な態様によるシステム、方法、及びコンピュータプログラム製品の可能な実装のアーキテクチャ、機能、及び動作を示す。この点に関して、フローチャート又はブロック図における各ブロックは、特定の論理関数を実装するための１つ以上の実行可能命令を含む、コードのモジュール、セグメント、又は部分を表し得る。加えて、フローチャートは、特定のイベントのシーケンスに関して説明及び例示されてきたが、本開示の動作に実質的に影響を与えることなく、このシーケンスに対する変更、追加、及び省略が生じ得ることを理解されたい。例えば、連続して示される２つのブロックは、実際には、実質的に同時に実行されてもよく、又はブロックは、時に関与する機能に応じて逆の順序で実行されてもよい。ブロック図及び／又はフローチャートの説明の各ブロック、並びにブロック図及び／又はフローチャートの説明におけるブロックの組み合わせは、特定の機能若しくは動作を実行する専用のハードウェアベースのシステム、又は専用のハードウェア及びコンピュータ命令の組み合わせによって実装され得ることにも留意されたい。
【００４１】
当業者に理解されるように、本開示の態様は、任意の新規かつ有用なプロセス、機械、製造、若しくは組成物、又はこれらの任意の新規かつ有用な改善を含む、複数の特許可能なクラス若しくは文脈のいずれかにおいて、本明細書に例示及び記載され得る。したがって、本開示の態様は、全体的にハードウェアに実装されるか、全体的にソフトウェア（ファームウェア、常駐ソフトウェア、マイクロコードなどを含む）に実装されるか、又はソフトウェア及びハードウェアの実装を組み合わせることができ、全てが概して本明細書では「回路」、「モジュール」、「構成要素」、又は「システム」と呼ばれることがある。更に、本開示の態様は、それに具現化されたコンピュータ可読プログラムコードを有する１つ以上のコンピュータ可読媒体に具現化されたコンピュータプログラム製品の形態をとることができる。
【００４２】
１つ以上のコンピュータ可読媒体の任意の組み合わせを利用することができる。コンピュータ可読媒体は、コンピュータ可読信号媒体又はコンピュータ可読記憶媒体であってもよい。コンピュータ可読記憶媒体は、例えば、電子、磁気、光学、電磁、若しくは半導体システム、装置若しくはデバイス、又は前述の任意の好適な組み合わせであり得るが、これらに限定されない。コンピュータ可読記憶媒体のより具体的な例（網羅的ではない列挙）としては、以下の、ポータブルコンピュータディスケット、ハードディスク、ランダムアクセスメモリ（ＲＡＭ）、読み出し専用メモリ（ＲＯＭ）、消去可能なプログラマブル読み出し専用メモリ（ＥＰＲＯＭ又はフラッシュメモリ）、リピータを備える適切な光ファイバ、ポータブルコンパクトディスク読み出し専用メモリ（ＣＤ−ＲＯＭ）、光学的記憶デバイス、磁気記憶デバイス、又は前述の任意の好適な組み合わせを有する適切な光ファイバが挙げられる。本文書の文脈において、コンピュータ可読記憶媒体は、命令実行システム、装置、又はデバイスによって、又はそれに関連して使用するためのプログラムを含み得る、又は記憶し得る、任意の有形媒体であってもよい。
【００４３】
本開示の態様に関する動作を実行するためのコンピュータプログラムコードは、１つ以上のプログラミング言語の任意の組み合わせで書くことができ、例えばオブジェクト指向のプログラミング言語、例えばＪＡＶＡ、スケーラ、ＳＭＡＬＬＴＡＬＫ、ＥＩＦＦＥＬ、ＪＡＤＥ、ＥＭＥＲＡＬＤ、Ｃ＋＋、ＣＩＩ、ＶＢ．ＮＥＴ、ＰＹＴＨＯＮなど、従来の手続き型プログラミング言語、例えば、「ｃ」プログラミング言語、ＶＩＳＵＡＬ  ＢＡＳＩＣ、ＦＯＲＴＲＡＮ  ２００３、ＰＥＲＬ、ＣＯＢＯＬ  ２００２、ＰＨＰ、ＡＢＡＰ、動的プログラミング言語、例えばＰＹＴＨＯＮ、ＲＵＢＹ、及びＧＲＯＯＶＹ、又は他のプログラミング言語が挙げられる。プログラムコードは、使用者のコンピュータ又はデバイスで全体的に実行することができる。
【００４４】
本開示の態様は、本開示の実施形態による方法、装置（システム）、及びコンピュータプログラム製品のフローチャート図及び／又はブロック図を参照して本明細書に記載される。フローチャート図及び／又はブロック図の各ブロック、並びにフローチャート図及び／又はブロック図におけるブロックの組み合わせは、コンピュータプログラム命令によって実装されてもよいことが理解される。これらのコンピュータプログラム命令は、汎用コンピュータ、専用コンピュータ、又は他のプログラム可能なデータ処理装置のプロセッサに提供されて機械を製作し、その命令は、コンピュータのプロセッサ又は他のプログラム可能な命令実行装置を介して実行させて、フローチャート及び／又はブロック図の１つ又は複数のブロックに指定された機能／動作を実行するための機構を作出する。
【００４５】
これらのコンピュータプログラム命令はまた、実行されると、コンピュータ、他のプログラム可能なデータ処理装置、又は他のデバイスに指示をして、特定の方法で機能させることができる、コンピュータ可読媒体に記憶されてもよく、コンピュータ可読媒体に記憶されたときの命令が、実行されると、コンピュータに、フローチャート及び／又はブロック図の１つ又は複数のブロックに指定された機能／動作を実行させる命令を含む製品を製造する。コンピュータプログラム命令はまた、コンピュータ、他のプログラム可能命令実行装置、又は他のデバイスにロードされてもよく、コンピュータ、他のプログラム可能な装置又は他のデバイスで実行される一連の動作ステップを実行させ、コンピュータ実装プロセスを生成し、その結果、コンピュータ又は他のプログラム可能な装置で実行する命令が、フローチャート及び／又はブロック図の１つ又は複数のブロックに指定された機能／動作を実装するためのプロセスを提供するようにする。
【００４６】
上述した本開示の代表的な実施形態を以下のように説明することができる。
Ａ．電気デバイスのためのユーザーインターフェースの発光素子の照明レベルを制御するための方法であって、
・プロセッサによって、人間の観察者によって知覚される発光素子の所望の時変発光レベルに対応する信号を定める情報を記憶することであって、対応する信号は、増加性正弦波ベースのランプ関数及び減少性正弦波ベースのランプ関数を含む、記憶することと、
・プロセッサによって、対応する信号に基づいて時変制御信号及び実際の照明レベルと、人間の目によって知覚される結果として生じる照明レベルとの間の非線形感度関係を計算することと、
・プロセッサによって、計算された時変制御信号に従って照明される発光素子を引き起こすことと、を含むことを特徴とする方法。
Ｂ．対応する信号は、周期的であり、複数の周期から構成されることを特徴とするパラグラフＡに記載の方法。
Ｃ．対応する信号は、
低いレベルの値であって、増加性正弦波ベースのランプ関数を高いレベルの値まで増加し、減少性正弦波ベースのランプ関数は高いレベルの値から低いレベルの値へと減少する、低いレベルの値を含むことを特徴とするパラグラフＡ又はＢに記載の方法。
Ｄ．非線形感度関係は、輝度と心理指標明度との関係を含むことを特徴とするパラグラフＡ〜Ｃのいずれかに記載の方法。
Ｅ．計算された時変制御信号は、補償関数を使用して対応する信号を変換することによって計算され、補償関数は、実際の照明レベルと人間の目によって知覚される結果として生じる照明レベルとの間の非線形感度関係に基づいており、
【００４７】
【数６】
2021535569.tif 000008
式中、
Ｙは、計算された時変制御信号であり、
Ｌ＊は、対応する信号であることを含むことを特徴とするパラグラフＡ〜Ｄのいずれかに記載の方法。
Ｆ．増加性及び減少性ランプ関数は、時間ｔにおいて、
【００４８】
【数７】
2021535569.tif 000009
２に比例して変化することを特徴とするパラグラフＡ〜Ｅのいずれかに記載の方法。
Ｇ．発光素子（ＬＥＤ）は、発光ダイオード又は発光面のうちの１つを含むことを特徴とするパラグラフＡ〜Ｆのいずれかに記載の方法。
Ｈ．記憶された情報は、対応する信号を計算するための式を含むことを特徴とするパラグラフＡ〜Ｇのいずれかに記載の方法。
Ｉ．記憶された情報は、対応する信号を表す時間順の複数の離散サンプリング値を含むことを特徴とするパラグラフＡ〜Ｈのいずれかに記載の方法。
Ｊ．電気デバイス用のユーザーインターフェースの発光素子の照明レベルを制御するためのシステムであって、
・プロセッサと、
・プロセッサと通信するメモリであって、プロセッサによって実行されると、システムに、
●人間の観察者によって知覚される発光素子の所望の時変発光レベルに対応する信号を定める情報を記憶することであって、対応する信号は、増加性正弦波ベースのランプ関数及び減少性正弦波ベースのランプ関数を含む、記憶することと、
●対応する信号、及び実際の照明レベルと、人間の目によって知覚される結果として生じる照明レベルとの間の非線形感度関係に基づいて時変制御信号を計算することと、
●計算された時変制御信号に従って、発光素子を照明させることと、
を生じさせる命令を記憶する、メモリと
を含むことを特徴とするシステム。
Ｋ．対応する信号は、周期的であり、複数の周期から構成されることを特徴とするパラグラフＪに記載のシステム。
Ｌ．対応する信号は、
低いレベルの値であって、増加性正弦波ベースのランプ関数を高いレベルの値まで増加し、減少性正弦波ベースのランプ関数は高いレベルの値から低いレベルの値へと減少する、低いレベルの値を含むことを特徴とするパラグラフＪ又はＫに記載のシステム。
Ｍ．非線形感度関係は、輝度と心理指標明度との関係を含むことを特徴とするパラグラフＪ〜Ｌのいずれかに記載のシステム。
Ｎ．計算された時変制御信号は、補償関数を使用して対応する信号を変換することによって計算され、補償関数は、実際の照明レベルと人間の目によって知覚される結果として生じる照明レベルとの間の非線形感度関係に基づいており、
【００４９】
【数８】
2021535569.tif 000010
式中、
Ｙは、計算された時変制御信号であり、
Ｌ＊は、対応する信号であることを含むことを特徴とするパラグラフＪ〜Ｍのいずれかに記載のシステム。
Ｏ．増加性及び減少性ランプ関数は、時間ｔにおいて、
【００５０】
【数９】
2021535569.tif 000011
２に比例して変化することを特徴とするパラグラフＪ〜Ｎのいずれかに記載のシステム。
Ｐ．発光素子は、発光ダイオード（ＬＥＤ）又は発光面のうちの１つを含むことを特徴とするパラグラフＪ〜Ｏのいずれかに記載のシステム。
Ｑ．記憶された情報が、対応する信号を計算するための式を含むことを特徴とするパラグラフＪ〜Ｐのいずれかに記載のシステム。
Ｒ．記憶された情報は、対応する信号を表す時間順の複数の離散サンプリング値を含むことを特徴とするパラグラフＪ〜Ｑのいずれかに記載のシステム。
Ｓ．電気デバイスのためのユーザーインターフェースの発光素子の照明レベルを制御するための方法であって、
・プロセッサによって、人間の観察者によって知覚される発光素子の所望の時変発光レベルに対応する信号を定める記憶された情報と、実際の照明レベルと人間の目によって知覚される結果として生じる照明レベルとの間の非線形感度関係に基づいて計算されるパルス幅変調（ＰＷＭ）制御信号を記憶することであって、対応する信号は、増加性正弦波ベースのランプ関数及び減少性正弦波ベースのランプ関数を含む、記憶することと、
・プロセッサによって、記憶されたＰＷＭ制御信号を用いて発光素子を駆動することと、を含むことを特徴とする方法。
Ｔ．記憶されたＰＷＭ制御信号がルックアップテーブルを含むことを特徴とするパラグラフＳに記載の方法。
【００５１】
本明細書に開示される寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」と開示された寸法は、「約４０ｍｍ」を意味することが意図される。
【００５２】
相互参照される又は関連する任意の特許又は特許出願、及び本願が優先権又はその利益を主張する任意の特許出願又は特許を含む、本願に引用される全ての文書は、除外又は限定することを明言しない限りにおいて、参照によりその全体が本明細書に組み込まれる。いかなる文献の引用も、本明細書中で開示又は特許請求される任意の発明に対する先行技術であるとはみなされず、あるいはそれを単独で又は他の任意の参考文献（単数又は複数）と組み合わせたときに、そのようないかなる発明も教示、示唆又は開示するとはみなされない。更に、本文書における用語の任意の意味又は定義が、参照により組み込まれた文書内の同じ用語の任意の意味又は定義と矛盾する場合、本文書においてその用語に与えられた意味又は定義が適用されるものとする。
【００５３】
本発明の特定の実施形態を例示及び説明してきたが、本発明の趣旨及び範囲から逸脱することなく様々な他の変更及び修正を行うことができる点は当業者には明白であろう。したがって、本発明の範囲内にある全てのそのような変更及び修正を添付の特許請求の範囲に網羅することが意図されている。
【図１】
2021535569.tif 000016
【図２Ａ】
2021535569.tif 000017
【図２Ｂ】
2021535569.tif 000018
【図３】
2021535569.tif 000019
【図４Ａ】
2021535569.tif 000020
【図４Ｂ】
2021535569.tif 000021
【図４Ｃ】
2021535569.tif 000022
【図５】
2021535569.tif 000023
【図６Ａ】
2021535569.tif 000024
【図６Ｂ】
2021535569.tif 000025
【図７Ａ】
2021535569.tif 000026
【図７Ｂ】
2021535569.tif 000027
【図８Ａ】
2021535569.tif 000028
【図８Ｂ】
2021535569.tif 000029
【図９】
2021535569.tif 000030
【図１０Ａ】
2021535569.tif 000031
【図１０Ｂ】
2021535569.tif 000032
【図１１Ａ】
2021535569.tif 000033
【図１１Ｂ】
2021535569.tif 000034
【図１２】
2021535569.tif 000035
【図１３】
2021535569.tif 000036
【国際調査報告】
2021535569.tif 000037
2021535569.tif 000038